(57)【特許請求の範囲】
【請求項１】
基礎で囲まれる地盤の上に土間コンクリートが配設される床下構造に対して防蟻処理を施す方法であって、
防蟻シートを、少なくとも前記基礎の内側面と前記地盤の表面とを跨ぐ領域に、当該基礎の内側面及び地盤の表面に沿うように折り曲げた状態で配設する工程と、
前記地盤の上に、前記防蟻シートの基礎の内側面に沿う部分の上端部よりも高く前記土間コンクリートを打設するとともに、この土間コンクリートが前記基礎に隣接する部分に他の部分よりも低い底面を有する溝部を形成して、この溝部の底面から前記防蟻シートの基礎に沿う部分の上端部を突出させる工程と、
前記溝部内に粒子により構成される防蟻剤を充填して前記防蟻シートの上端部に接触させる工程とを含むことを特徴とする床下防蟻処理方法。
【請求項２】
前記溝部の底面が前記基礎に近づくに連れて下向きに傾斜する斜面となるように前記溝部を形成することを特徴とする請求項１に記載の床下防蟻処理方法。
【請求項３】
前記溝部を形成するにあたり、前記地盤の上に前記土間コンクリートを構成する流動状態のコンクリートを流し込んだ後、このコンクリートが硬化する前に、このコンクリートが前記基礎に隣接する部分を治具によってならして斜面を形成することで、当該斜面を底面とする溝部を形成することを特徴とする請求項２に記載の床下防蟻処理方法。
【請求項４】
基礎で囲まれる地盤の上に土間コンクリートが配設される床下構造に対して防蟻処理が施された床下防蟻処理構造であって、
前記地盤と前記土間コンクリートの間に介在する水平部と、この水平部から前記基礎の内側面に沿って立ち上がる垂直部とを有する防蟻シートが設けられていて、この垂直部の高さは、前記土間コンクリートの厚みよりも小さく設定されており、
前記土間コンクリートが前記基礎に隣接する部分には、他の部分よりも低い底面を有する溝部が形成されていて、この溝部の底面から前記防蟻シートの垂直部の上端部が突出しているとともに、この溝部内には、粒子により構成される防蟻剤が充填されていて、当該防蟻剤で前記防蟻シートの上端部が覆われていることを特徴とする床下防蟻処理構造。
【発明の詳細な説明】
【技術分野】
【０００１】
本発明は、基礎で囲まれる地盤の上に土間コンクリートが配設される床下構造に対する床下防蟻処理方法及び床下防蟻処理構造に関するものである。
【背景技術】
【０００２】
従来、基礎で囲まれる地盤の表面を防蟻シートで覆うとともに、この防蟻シートの上に土間コンクリートを打設して、地盤と土間コンクリートとの間に防蟻シートを介在させることで、地盤から白蟻が這い上がることを防ぐようにした防蟻処理構造が知られている。
【０００３】
例えば特許文献１には、このような防蟻シートを用いた床下防蟻処理構造として、地盤と土間コンクリートとの間に防蟻シートを介在させるとともに、この防蟻シートを基礎の内側面に沿って立ち上がるように折り曲げて、防蟻シートの基礎の内側面に沿う部分の上端部を土間コンクリートよりも上方に位置させるようにした床下防蟻構造が開示されている。そして、この床下防蟻処理構造では、土間コンクリートよりも上方に位置する防蟻シートの上端部が基礎の内側面に固着されるようになっている。
【特許文献１】特開２００３−２４７２８１号公報
【発明の開示】
【発明が解決しようとする課題】
【０００４】
しかしながら、前記のような床下防蟻処理構造では、例えば基礎の上に建造物を建築する際等に、防蟻シートの土間コンクリートから露出する部分を破損させてしまうおそれがあり、このような破損した箇所から白蟻が侵入することが懸念される。
【０００５】
そこで、防蟻シートの基礎の内側面に沿う部分の高さを土間コンクリートの厚みよりも小さく設定し、防蟻シートを土間コンクリートで覆ってしまうことが考えられるが、このようにすると、土間コンクリートの収縮によって基礎と土間コンクリートとの境界部分にクラックが生じることがあるため、何らかの原因により防蟻シートが基礎または土間コンクリートから剥離した場合には、その隙間及び前記クラックから白蟻が這い上がるおそれがある。
【０００６】
本発明は、このような事情に鑑み、防蟻の信頼性を向上させることができる床下防蟻処理方法及び床下防蟻処理構造を提供することを目的とする。
【課題を解決するための手段】
【０００７】
請求項１に係る発明は、基礎で囲まれる地盤の上に土間コンクリートが配設される床下構造に対して防蟻処理を施す方法であって、防蟻シートを、少なくとも前記基礎の内側面と前記地盤の表面とを跨ぐ領域に、当該基礎の内側面及び地盤の表面に沿うように折り曲げた状態で配設する工程と、前記地盤の上に、前記防蟻シートの基礎の内側面に沿う部分の上端部よりも高く前記土間コンクリートを打設するとともに、この土間コンクリートが前記基礎に隣接する部分に他の部分よりも低い底面を有する溝部を形成して、この溝部の底面から前記防蟻シートの基礎に沿う部分の上端部を突出させる工程と、前記溝部内に粒子により構成される防蟻剤を充填して前記防蟻シートの上端部に接触させる工程とを含むことを特徴とする床下防蟻処理方法である。
【０００８】
この構成によれば、土間コンクリートが基礎に隣接する部分に、防蟻シートの基礎に沿う部分の上端部が底面から突出する溝部を形成しているので、溝部内に粒子により構成される防蟻剤を流し込むだけの簡単な作業で防蟻シートと防蟻剤とを確実に接触させて連続した防蟻構造を構築することができる。そして、このような防蟻シートと防蟻剤とが連続した防蟻構造では、たとえ防蟻シートが基礎または土間コンクリートから剥離したとしても、その隙間から白蟻が這い上がることを防蟻剤によって防止することができ、防蟻の信頼性を向上させることができる。また、防蟻シートと防蟻剤とが連続していることにより、それらが独立した状態となっているよりも高い防蟻効果を得ることができる。
【０００９】
請求項２に係る発明は、請求項１に記載の床下防蟻処理方法において、前記溝部の底面が前記基礎に近づくに連れて下向きに傾斜する斜面となるように前記溝部を形成することを特徴とするものである。
【００１０】
この構成によれば、溝部内に防蟻剤を流し込むと、当該防蟻剤が溝部の底面に沿って防蟻シートに向かって流れるため、その流れを利用してより確実に防蟻剤を防蟻シートに接触させることができる。
【００１１】
請求項３に係る発明は、請求項２に記載の床下防蟻処理方法において、前記溝部を形成するにあたり、前記地盤の上に前記土間コンクリートを構成する流動状態のコンクリートを流し込んだ後、このコンクリートが硬化する前に、このコンクリートが前記基礎に隣接する部分を治具によってならして斜面を形成することで、当該斜面を底面とする溝部を形成することを特徴とするものである。
【００１２】
この構成によれば、硬化前の土間コンクリートをコテ等の治具でならして斜面を形成することで、この斜面を底面とする溝部を簡単に形成することができる。
【００１３】
請求項４に係る発明は、基礎で囲まれる地盤の上に土間コンクリートが配設される床下構造に対して防蟻処理が施された床下防蟻処理構造であって、前記地盤と前記土間コンクリートの間に介在する水平部と、この水平部から前記基礎の内側面に沿って立ち上がる垂直部とを有する防蟻シートが設けられていて、この垂直部の高さは、前記土間コンクリートの厚みよりも小さく設定されており、前記土間コンクリートが前記基礎に隣接する部分には、他の部分よりも低い底面を有する溝部が形成されていて、この溝部の底面から前記防蟻シートの垂直部の上端部が突出しているとともに、この溝部内には、粒子により構成される防蟻剤が充填されていて、当該防蟻剤で前記防蟻シートの上端部が覆われていることを特徴とするものである。
【００１４】
この構成によれば、土間コンクリートが基礎に隣接する部分に、防蟻シートの基礎に沿う部分の上端部が底面から突出する溝部が形成されており、この溝部内に粒子により構成される防蟻剤が充填されて前記防蟻シートの上端部が覆われているので、防蟻シートと防蟻剤とが連続した防蟻構造となっているため、たとえ防蟻シートが基礎または土間コンクリートから剥離したとしても、その隙間から白蟻が這い上がることを防蟻剤によって防止することができ、防蟻の信頼性を向上させることができる。また、防蟻シートと防蟻剤とが連続していることにより、それらが独立した状態となっている場合よりも高い防蟻効果を得ることができる。
【発明の効果】
【００１５】
以上のように、本発明によれば、基礎と土間コンクリートとの間で防蟻シートと防蟻剤とを連続させて、防蟻の信頼性を向上させることができる。
【発明を実施するための最良の形態】
【００１６】
以下、本発明を実施するための最良の形態について、図面を参照しながら詳細に説明する。
【００１７】
図１に、本発明の一実施形態に係る床下防蟻処理構造を示す。この床下防蟻処理構造では、基礎２で囲まれる地盤１の上に、第１の防蟻シート３及び第２の防蟻シート４を介して土間コンクリート５が配設されている。
【００１８】
前記第１の防蟻シート３は、前記基礎２の内側面２ａと前記地盤１の表面とを跨ぐ領域に、地盤１の周縁に沿って配設されており、地盤１と土間コンクリート５との間に介在して地盤１の周縁部を覆う水平部３２と、この水平部３２から基礎２の内側面２ａに沿って立ち上がる垂直部３１とを有している。
【００１９】
前記第２の防蟻シート４は、端部が前記第１の防蟻シート３の水平部３２の上に重なり合うように配設されて、前記地盤１の略全面を覆っている。
【００２０】
これらの第１の防蟻シート３及び第２の防蟻シート４の素材としては、各種合成樹脂材が適用可能であり、防湿性も併用するものであればなお好ましい。具体的には、ＥＶＡ（エチレン−酢酸ビニル共重合体）、低密度ポリエチレン等のポリエチレン・ポリプロピレン・エチレン−αオレフィン共重合体等に代表されるオレフィン系素材、ＰＶＣ（ポリ塩化ビニル）、ＡＢＳ樹脂、ポリスチレン、アクリル樹脂等が例示される。特に、ＥＶＡ、低密度ポリエチレン、軟質ＰＶＣといった柔軟性に富んだ材料は、設置作業時の折り曲げ等が容易であるため、作業性向上の点から好ましい。さらに、これらの防蟻シート３，４の防蟻効果を高めるべく、前記シート材にプレスロイド様殺虫剤やプレスロイド系殺虫剤や有機リン系殺虫剤等に代表される防蟻薬剤を練り込むようにしてもよい。なお、第１の防蟻シート３と第２の防蟻シート４とは、同素材であってもよいし別素材であってもよい。
【００２１】
前記土間コンクリート５は、前記第１の防蟻シート３の垂直部３１で囲まれる領域に配設されており、その厚みは、第１の防蟻シート３の垂直部３１の高さよりも大きく設定されている。
【００２２】
前記土間コンクリート５が前記基礎２に隣接する部分には、他の部分よりも低い底面５１ａを有する溝部５１が形成されている。前記底面５１ａは、基礎２に近づくに連れて下向きに傾斜する斜面となっている。そして、この溝部５１の底面５１ａから前記第１の防蟻シート３の垂直部３１の上端部３１ａが上方に突出している。
【００２３】
また、前記溝部５１内には、防蟻剤６が充填されており、この防蟻剤６で前記第１の防蟻シート３の垂直部３１の上端部３１ａが覆われている。この防蟻剤６は、本実施形態では直径１〜３ｍｍ程度の粒子で構成されている。前記粒子としては、前述した防蟻薬剤を水や有機溶剤等の溶媒に混入した被覆剤が表面に塗布されたものや防蟻薬剤を練り込んだものが適用可能である。また、前記粒子の素材としては、砂やセオライト等の無機質粒子、木片等の有機質粒子、合成樹脂等が挙げられる。なお、本実施形態の防蟻剤６に相当するものではないが、防蟻剤としては、例えば、合成ゴム乳液に石油樹脂系粘着剤、界面活性剤及び防蟻薬剤を混入したラテックスタイプ、合成ゴム乳液に水、増粘剤及び防蟻薬剤を混入した水性エマルジョンタイプ、２液硬化型弾性ポリウレタン接着剤、潤滑油に増ちょう剤及び防蟻薬剤を混入したオイルタイプ、瀝青乳剤に防蟻薬剤を混入したアスファルト系等の液状体のものが挙げられる。
【００２４】
次に、図２を参照して、図１に示す床下防蟻処理構造を構築するための床下防蟻処理方法を説明する。
【００２５】
まず、図２（ａ）に示すように、第１の防蟻シート３を、基礎２の内側面２ａと地盤１の表面とを跨ぐ領域に、当該基礎２の内側面２ａ及び地盤１の表面に沿うように折り曲げた状態で配設する。このように配設することで、第１の防蟻シート３の基礎２の内側面２ａに沿う部分が前記垂直部３１となり、地盤１の表面に沿う部分が前記水平部３２となる。その後に、第１の防蟻シート３の垂直部３１の上端部３１ａを粘着テープ等で基礎２の内側面２ａに固着する。なお、第１の防蟻シート３を配設する前に、第１の防蟻シート３の上端部３１ａとなる部分の基礎２に接触する側の面に両面テープを貼着しておけば、当該上端部３１ａを簡単に基礎２の内側面２ａに固着することができる。
【００２６】
次いで、図２（ｂ）に示すように、第２の防蟻シート４を、第１の防蟻シート３の水平部３２の上に端部が重なり合うように配設して、当該第２の防蟻シート４で地盤１の略全面を覆う。
【００２７】
その後に、図２（ｃ）に示すように、地盤１の上に、第１の防蟻シート３の水平部３２及び第２の防蟻シート４を介して、土間コンクリート５を打設する。具体的には、第１の防蟻シート３の垂直部３１で囲まれる領域に、当該垂直部３１の上端部３１ａよりも高く流動状態のコンクリートを流し込むとともに、当該コンクリートが硬化する前に、コンクリートが基礎２に隣接する部分をコテ等の治具によってならして、第１の防蟻シート３の垂直部３１の上端点よりも下側につながる斜面を形成することで、当該斜面を底面５１ａとする溝部５１を形成する。これにより、溝部５１の底面５１ａから第１の防蟻シート３の垂直部３１の上端部３１ａが突出するようになる。
【００２８】
最後に、溝部５１内に防蟻剤６を充填して前記防蟻シート３の上端部３１ａに接触させることで、図１に示す床下防蟻処理構造を構築することができる。
【００２９】
本実施形態では、土間コンクリート５が基礎２に隣接する部分に、第１の防蟻シート３の垂直部３１の上端部３１ａが底面５１ａから突出する溝部５１を形成しているので、溝部５１内に防蟻剤６を流し込むだけの簡単な作業で防蟻シート３と防蟻剤６とを確実に接触させて連続した防蟻構造を構築することができる。そして、このような防蟻シート３と防蟻剤６とが連続した防蟻構造では、たとえ防蟻シート３が基礎２または土間コンクリート５から剥離したとしても、その隙間から白蟻が這い上がることを防蟻剤６によって防止することができ、防蟻の信頼性を向上させることができる。また、防蟻シート３と防蟻剤６とが連続していることにより、それらが独立した状態となっているよりも高い防蟻効果を得ることができる。
【００３０】
また、前記溝部５１の底面５１ａを基礎２に近づくに連れて下向きに傾斜する斜面としているので、溝部５１内に防蟻剤６を流し込むと、当該防蟻剤６が溝部５１の底面５１ａに沿って防蟻シート３に向かって流れるため、その流れを利用してより確実に防蟻剤６を防蟻シート３に接触させることができる。
【００３１】
さらには、土間コンクリート５を構成するコンクリートが硬化する前に当該コンクリートが基礎２と隣接する部分をコテ等の治具でならして斜面を形成することで、この斜面を底面５１ａとする溝部５１を簡単に形成することができる。
【００３２】
なお、前記実施形態では、第１の防蟻シート３と第２の防蟻シート４とが別体として構成されているが、第１の防蟻シート３と第２の防蟻シート４とを一体として構成してもよいし、第２の防蟻シート４を省略してもよい。要するに、本発明では、少なくとも基礎２の内側面２ａと地盤１の表面とを跨ぐ領域に防蟻シートが配設されていればよい。
【００３３】
また、図３に示すように、第１の防蟻シート３の垂直部３１の上端部３１ａを溝部５１の底面５１ａに沿って折り返し、基礎２の内側面２ａと第１の防蟻シート３の垂直部３１との間に防蟻剤６を入り込ませることも可能である。このようにするには、第１の防蟻シート３を配設した後に、垂直部３１の上端部３１ａを基礎２の内側面２ａに仮止めしておき、土間コンクリート５を打設して硬化させた後に、上端部３１ａを溝部５１の底面５１ａに沿って折り返し、この状態で溝部５１に防蟻剤６を充填すればよい。
【図面の簡単な説明】
【００３４】
【図１】本発明の一実施形態に係る床下防蟻処理構造の断面図である。
【図２】本発明の一実施形態に係る床下防蟻処理方法を説明する説明図である。
【図３】変形例の床下防蟻処理構造の断面図である。
【符号の説明】
【００３５】
１    地盤
２    基礎
３    第１の防蟻シート
３１  垂直部
３１ａ  上端部
３２  水平部
４    第２の防蟻シート
５    土間コンクリート
５１  溝部
５１ａ  傾斜面
６    防蟻剤
【図１】
0004778774.tif 000002
【図２】
0004778774.tif 000003
【図３】
0004778774.tif 000004